(57)【要約】【課題】汎用電力入力のロープ電球制御器の提供。【解決手段】一種の汎用電力入力のロープ電球制御器、電源回路を有し、交流電源を直流電源に変化する。電気抵抗降圧回路を有し、入力された交流電圧範囲を広げて、安定の直流電源を表示制御回路、駆動回路及び一つ以上のロープ電球に供給する。該表示制御回路は、駆動回路により該ロープ電球の負荷を駆動する。さらに、該表示制御回路より該ロープ電球の全数点灯負荷の時間を制御し、より大きいパワーのロープ電球の負荷を短時間内の全数点灯に備える。該表示制御回路はさらにロープ電球負荷に対して、点滅表示、間欠的点滅表示、光度加減表示、巡回表示、回路を交互に点滅などの表示制御機能を有する。また、自動巡回又はスイッチあるいは無線リモコン操作により、各表示制御機能を操作し、変圧器不要、コンパクトなロープ電球制御を構成する。【選択図】図１
0003130911.tif 000002
【実用新案登録請求の範囲】
【請求項１】
以下の構成要素を備えた、
電源装置、一般供給電源の交流電源に接続し、該電源供給回路は、抵抗降圧回路及び整流安定回路を有する、該抵抗降圧回路は一般供給電源の交流電源入力を低圧の交流電気に変換及び出力する、該整流安定回路は抵抗降圧回路に連結し、低圧の交流電気を安定の直流電気に変換及び出力し、その他の電気回路又は負荷の稼働電源として提供する、
表示制御回路、ロープ電球の点滅表示、間欠的点滅表示、光度加減表示、巡回表示、回路を交互に点滅など様々な表示機能を制御できるほか、一つ以上の切り換え制御端を有し、信号切り換え制御を受けて、各種の表示制御機能を選択できる、若干数の出力制御端を設け、制御信号を表示する、
駆動回路、表示制御回路の出力制御端に連結することにより、表示制御信号を受信して、ロープ電球負荷の表示を制御する、
一つ以上のロープ電球、該駆動回路に連結し、駆動回路の駆動により、点滅表示、間欠的点滅表示、光度加減表示、巡回表示、回路を交互に点滅など様々な表示機能を有することを特徴とする汎用電力入力のロープ電球制御器。
【請求項２】
該電源供給回路の抵抗降圧回路は、コンデンサーと抵抗器より構成することを特徴とする請求項１記載の汎用電力入力のロープ電球制御器。
【請求項３】
該電源供給回路の整流安定回路はさらに以下の構成要素を備える、
ブリッジ式整流素子、二つの入力端は抵抗降圧回路に連結し、該二つの出力端は直流の正極と負極に出力し、安定の直流電気を供給する、
コンデンサーとツェナーダイオード、直流電源の正極端と負極端の間に設け、電圧安定機能を提供する、
トランジスタ、直流電源の正極端と負極端に並列接続し、ベースはエミッタに連結し、電源に含まれる逆方向電流とノイズを解消することを特徴とする請求項１記載の汎用電力入力のロープ電球制御器。
【請求項４】
該表示制御回路はシングルチップ集積回路より構成することを特徴とする請求項１記載の汎用電力入力のロープ電球制御器。
【請求項５】
該表示制御回路の切り換え制御端は制御スイッチに連結することを特徴とする請求項１記載の汎用電力入力のロープ電球制御器。
【請求項６】
該表示制御回路の切り換え制御端は無線リモコン受信装置に連結することを特徴とする請求項１記載の汎用電力入力のロープ電球制御器。
【請求項７】
該駆動回路は若干数のサイリスター素子より構成することを特徴とする請求項１記載の汎用電力入力のロープ電球制御器。
【請求項８】
該サイリスター素子はシリコン制御整流器であることを特徴とする請求項7記載の汎用電力入力のロープ電球制御器。
【請求項９】
該サイリスター素子はトランジスタであることを特徴とする請求項7記載の汎用電力入力のロープ電球制御器。
【請求項１０】
該ロープ電球は若干数の発光素子回路より構成することを特徴とする請求項１記載の汎用電力入力のロープ電球制御器。
【請求項１１】
該発光素子回路は若干数の発光ダイオードより構成することを特徴とする請求項１０記載の汎用電力入力のロープ電球制御器。
【請求項１２】
該発光素子回路は若干数の電球より構成することを特徴とする請求項１０記載の汎用電力入力のロープ電球制御器。
【考案の詳細な説明】
【技術分野】
【０００１】
本考案は一種の汎用電力入力のロープ電球制御器、特に一種の多回路ロープ電球制御器、特に一種の多回路ロープ電球負荷の点滅制御、及び一般供給電源の交流電源の電圧をロープ電球負荷の制御器に入力する機構に関わるものである。
【背景技術】
【０００２】
ロープ電球は祭りのイベントに多く使われています。路上の電球ツリー、道路脇の電球トンネルはすべて長いロープ電球によって飾られている。しかしながら、路上と道路脇に使用されている飾りロープ電球製品を点灯する電源は直流電気を使用する。ロープ電球の点滅機能は新たに制御器を取り付けて、ロープ電球負荷の点滅制御を行わなければならない。このため、電源装置と制御器並びにロープ電球負荷制御にとって、極めて重要な部品である。
【０００３】
一方、公知技術のロープ電球の点滅制御パターンには、ロープ電球の全数点灯時間に対する制御がないため、ロープ電球に合わせて全量(すなわち、全数点灯)の消費パワー負荷がかかり、高いパワーの電源装置が必要である。これにより、電源装置の電気消費が多くなり、エネルギーロスのほか、環境にとって良くない。さらに、変圧器の体積が大きいことから、組み立てるときに大きい体積と空間占用は取付けの不便から、室外又は道路脇、路上への臨時設置には美観性を欠ける。
【０００４】
このほか、前記した公知技術のロープ電球の電源装置は大容量の変圧器が必要なため、その体積が大きくなり制御器と一体化に整合することが難しい。よって、制御器は電源装置とそれぞれ独立した装置設計となる。これはロープ電球の取付け難度と不便を与える。一方、該電源装置と制御器に長い導線が必要なため、電源装置と制御器との間に高周波電磁干渉を受けやすい。特に、電源装置と制御器を室外に取り付ける場合、ロープ電球の制御品質と安定性に影響する。
【０００５】
前記した電磁干渉の問題を改善するため、公知技術のロープ電球は電源装置と制御器との間の接続回路にフィルタ又は高周波フィルタにより、この課題を解決しているため、回路全体の据え付けコストが高いほか、ロープ電球に関わる電源装置、制御器の体積も大きくなる。路上の樹木など室外に限られた空間への設置に向かない。
【０００６】
さらに、公知技術のロープ電球制御器の機構は、電源装置と組み合わせて設置を必須条件としているが、高く聳える道路樹木又はアーチ形建造、金属製タワーなど設置場所の地形と地物環境影響を受けやすい。この種のロープ電球制御器の表示機能は、利用者の需要に従い、他の表示機能の単独又は混合選択ができない。全数点灯又は全数消灯、点滅など、変化のない単調無味の態様になりかねない。このため、ロープ電球全体の表示効果が劣る。単調無味、かつ、停滞感を与える。
【０００７】
このほか、すでに公開されている技術文献は、本考案者が特許文献１「ロープ電球制御器」の考案において、初歩的なロープ電球制御技術が開示されている。
【０００８】
【特許文献１】台湾特許公告第４５８２９２号明細書
【考案の開示】
【考案が解決しようとする課題】
【０００９】
電源装置の回路に抵抗降圧回路を設ける、より広範囲の交流電圧入力機能を提供することにより、電源装置は変圧器不要のため、体積の小型化を実現し、設置使用の便利を図る、一種の汎用電力入力のロープ電球制御器を提供することを本考案の主な目的である。
【００１０】
該電源供給回路とロープ電球表示回路は小さい容積により一体化に整合し、電源装置とロープ電球制御器との間の回線距離を短縮できるほか、該電源供給回路に供給回路を加えて、回線間の高周波電磁干渉の解消を図る、一種の汎用電力入力のロープ電球制御器を提供することを本考案もう一つの目的である。
【００１１】
該ロープ電球制御器回路に点滅表示、間欠的点滅表示、光度加減表示、巡回表示、回路を交互に点滅などの表示制御機能を図る、一種の汎用電力入力のロープ電球制御器を提供することを本考案のまた一つの目的である。
【００１２】
該ロープ電球表示の変化の制御回路に、スイッチ又は無線リモコン装置を設け遠隔操作により、該ロープ電球負荷の単独又は自動巡回表示機能を切り換え又は選択し、ロープ電球の室外設置の便利を図る、一種の汎用電力入力のロープ電球制御器を提供することを本考案のさらに一つの目的である。
【００１３】
前記の目的を達成するため、本考案の汎用電力入力のロープ電球制御器は、交流電気を直流電気に変換する電源供給回路、入力の交流電圧範囲を拡大するための抵抗降圧回路、表示制御回路に出力するための直流電気供給、駆動電気回路及び一組以上のロープ電球より構成する。該表示制御回路は駆動電気回路を介して、該ロープ電球の負荷を駆動する。一方、該表示制御回路により、該ロープ電球負荷の全数点灯時間を制御することにより、大きいパワーのロープ電球負荷を短時間に全数点灯させる。該表示制御回路はさらに、ロープ電球負荷を制御し、点滅表示、間欠的点滅表示、光度加減表示、巡回表示、回路を交互に点滅などの表示制御機能のほか、スイッチ又は無線リモコン装置操作により、それぞれの表示制御機能を切り換えるなど、本考案の変圧器不要、小型化のロープ電球制御器を実現する。
【課題を解決するための手段】
【００１４】
請求項１の考案は、以下の構成要素を備えた、
電源装置、一般供給電源の交流電源に接続し、該電源供給回路は、抵抗降圧回路及び整流安定回路を有する、該抵抗降圧回路は一般供給電源の交流電源入力を低圧の交流電気に変換及び出力する、該整流安定回路は抵抗降圧回路に連結し、低圧の交流電気を安定の直流電気に変換及び出力し、その他の電気回路又は負荷の稼働電源として提供する、
表示制御回路、ロープ電球の点滅表示、間欠的点滅表示、光度加減表示、巡回表示、回路を交互に点滅など様々な表示機能を制御できるほか、一つ以上の切り換え制御端を有し、信号切り換え制御を受けて、各種の表示制御機能を選択できる、若干数の出力制御端を設け、制御信号を表示する、
駆動回路、表示制御回路の出力制御端に連結することにより、表示制御信号を受信して、ロープ電球負荷の表示を制御する、
一つ以上のロープ電球、該駆動回路に連結し、駆動回路の駆動により、点滅表示、間欠的点滅表示、光度加減表示、巡回表示、回路を交互に点滅など様々な表示機能を有することを特徴とする汎用電力入力のロープ電球制御器としている。
請求項２の考案は、該電源供給回路の抵抗降圧回路は、コンデンサーと抵抗器より構成することを特徴とする請求項１記載の汎用電力入力のロープ電球制御器としている。
請求項３の考案は、該電源供給回路の整流安定回路はさらに以下の構成要素を備える、ブリッジ式整流素子、二つの入力端は抵抗降圧回路に連結し、該二つの出力端は直流の正極と負極に出力し、安定の直流電気を供給する、
コンデンサーとツェナーダイオード、直流電源の正極端と負極端の間に設け、電圧安定機能を提供する、
トランジスタ、直流電源の正極端と負極端に並列接続し、ベースはエミッタに連結し、電源に含まれる逆方向電流とノイズを解消することを特徴とする請求項１記載の汎用電力入力のロープ電球制御器としている。
請求項４の考案は、該表示制御回路はシングルチップ集積回路より構成することを特徴とする請求項１記載の汎用電力入力のロープ電球制御器としている。
請求項５の考案は、該表示制御回路の切り換え制御端は制御スイッチに連結することを特徴とする請求項１記載の汎用電力入力のロープ電球制御器としている。
請求項６の考案は、該表示制御回路の切り換え制御端は無線リモコン受信装置に連結することを特徴とする請求項１記載の汎用電力入力のロープ電球制御器としている。
請求項７の考案は、該駆動回路は若干数のサイリスター素子より構成することを特徴とする請求項１記載の汎用電力入力のロープ電球制御器としている。
請求項８の考案は、該サイリスター素子はシリコン制御整流器であることを特徴とする請求項7記載の汎用電力入力のロープ電球制御器としている。
請求項９の考案は、該サイリスター素子はトランジスタであることを特徴とする請求項7記載の汎用電力入力のロープ電球制御器としている。
請求項１０の考案は、該ロープ電球は若干数の発光素子回路より構成することを特徴とする請求項１記載の汎用電力入力のロープ電球制御器としている。
請求項１１の考案は、該発光素子回路は若干数の発光ダイオードより構成することを特徴とする請求項１０記載の汎用電力入力のロープ電球制御器としている。
請求項１２の考案は、該発光素子回路は若干数の電球より構成することを特徴とする請求項１０記載の汎用電力入力のロープ電球制御器としている。
【考案の効果】
【００１５】
本考案の汎用電力入力のロープ電球制御器は、電源装置の回路に抵抗降圧回路を設ける、より広範囲の交流電圧入力機能を提供することにより、電源装置は変圧器不要のため、体積の小型化を実現し、設置使用の便利を図る。該電源供給回路とロープ電球表示回路は小さい容積により一体化に整合し、電源装置とロープ電球制御器との間の回線距離を短縮できるほか、該電源供給回路に供給回路を加えて、回線間の高周波電磁干渉の解消を図る。該ロープ電球制御器回路に点滅表示、間欠的点滅表示、光度加減表示、巡回表示、回路を交互に点滅などの表示制御機能を図る。該ロープ電球表示の変化の制御回路に、スイッチ又は無線リモコン装置を設け遠隔操作により、該ロープ電球負荷の単独又は自動巡回表示機能を切り換え又は選択し、ロープ電球の室外設置の便利を図る。
【考案を実施するための最良の形態】
【００１６】
図１は本考案の汎用電力入力のロープ電球制御器の実施例１である。本考案の汎用電力入力のロープ電球制御器１００は、他の回路又は負荷の稼働電源として、一般供給電源の交流電気を直流電気に変換する電源供給回路１０、一つ以上の抵抗降圧回路１１及び整流安定回路１２を有する。そのうち、該抵抗降圧回路１１は一般供給電源の交流電気を低圧交流電源１１１に変換し、該整流安定回路１２は抵抗降圧回路１１に連結し、該抵抗降圧回路１１より出力の低圧交流電源１１１を安定の直流稼働電気に変換及び出力することにより、一般供給電源の交流電気の電圧範囲を交流９０ボルトから２４０ボルトに広げる。
【００１７】
表示制御回路２０、ロープ電球負荷に対して、点滅表示、間欠的点滅表示、光度加減表示、巡回表示(バラスト灯)、回路を交互に点滅などの表示制御機能を有し、その表示機能は回路によるサイクル制御、手動による切り換え又は遠隔操作により選択制御ができる。実施例１において、該表示制御回路２０は制御スイッチ２１に連結し、制御スイッチ２１の圧下操作により、前記のロープ電球負荷に対して、点滅表示、間欠的点滅表示、光度加減表示、巡回表示(バラスト灯)、回路を交互に点滅などの表示制御機能を選択する。
【００１８】
駆動回路３０は表示制御回路２０に連結し、表示制御回路２０の伝動により、ロープ電球負荷に対して、点滅表示、間欠的点滅表示、光度加減表示、巡回表示、回路を交互に点滅などの表示制御を行う。該駆動回路３０の電気は、該電源装置１０より供給する。
【００１９】
一つ以上のロープ電球４０を駆動回路３０に連結し、駆動回路３０の駆動により、点滅表示、間欠的点滅表示、光度加減表示、巡回表示、回路を交互に点滅などの表示制御を行う。該ロープ電球４０の電気は、該電源装置１０より供給する。
【００２０】
図２は図１に示す、本考案の汎用電力入力のロープ電球制御器１００の詳細電気回路図である。該詳細電気回路図は本考案の実施態様説明であり、本考案の実施範疇を制限するものではない。図１の電源供給回路１０において、該抵抗降圧回路１１はコンデンサーＣ１及び抵抗器Ｒ１より構成する。コンデンサーＣ１と抵抗器Ｒ１は交流電気において、降圧抵抗を形成し、該一般供給電源の交流電気を該低圧交流電源１１１に降圧する。該整流安定回路１２はブリッジ式整流素子１２１、コンデンサーＣ２、ツェナーダイオード１２２及びトランジスタＱ１より構成する。該ブリッジ式整流素子１２１の入力端Ｂ１、Ｂ２は前記の降圧回路１１のコンデンサーＣ１及び抵抗器Ｒ１の一端に連結し、該出力端Ｂ３、Ｂ４は出力電気の正極と負極を形成し、安定の直流電気を出力する。該コンデンサーＣ２、ツェナーダイオード１２２とトランジスタＱ１は直流電気の正極端と負端の間に並列方式で結合し、該コンデンサーＣ２、ツェナーダイオード１２２より電圧安定機能を提供する。該トランジスタＱ１のベースＱ１１はエミッタＱ１２に連結し、電源供給回路に存在する逆方向電流とノイズを解消する。
【００２１】
図２は詳細電気回路図である。該表示制御回路２０はシングルチップ集積回路を用いるが、その他の等効果回路もなお本考案の範疇に含まれるものとする。該表示制御回路２０の電源端ＶＣＣ、ＶＤＤの直流稼働電源として、それぞれ前記の電源供給回路１０のブリッジ式整流素子１２１の出力端Ｂ３、Ｂ４の直流電源の正極端と負極端に連結する。若干数の出力制御端Ｔ１、Ｔ２、Ｔ３及びＴ４より表示制御信号を駆動回路３０に出力する。さらに、切り換え制御端ＣＳにより、該制御スイッチ２１の切り換え制御信号を受信する。該切り換え制御端ＣＳにおいて、制御スイッチ２１の圧下操作など、該表示制御回路２０の表示制御機能の切り換え操作を行う。１回の圧下で、ロープ電球４０を点滅表示、２回の圧下でロープ電球４０を間欠的点滅表示するなど、以下類推する。
【００２２】
図２の駆動回路３０は、主に若干数のサイリスター素子Ｇ１、Ｇ２、Ｇ３及びＧ４より構成する。本考案はシリコン制御整流器(ＳＣＲ)を用いるが、その他の等効果素子を使用しても良い。そのうち、該サイリスター素子Ｇ１、Ｇ２、Ｇ３及びＧ４のゲート電極は前記の表示制御回路２０の出力制御端Ｔ１、Ｔ２、Ｔ３及びＴ４に出力し、その位相を触発し、ロープ電球４０不可の点滅表示を駆動する。
【００２３】
図２のロープ電球４０は、実施例１において、４つの発光素子回路Ｌ１、Ｌ２、Ｌ３及びＬ４を使用する。該発光素子回路Ｌ１、Ｌ２、Ｌ３及びＬ４は若干数の発光ダイオード又は電球の連結により構成し、該駆動回路３０のサイリスター素子Ｇ１、Ｇ２、Ｇ３及びＧ４の制御を受けて、点滅表示、間欠的点滅表示、光度加減表示、巡回表示、回路を交互に点滅など様々な表示機能を有するほか、素子の電力消費とパワーを効率よく制御できる。
【００２４】
引き続きに、図３及び図４は、前記の図１、図２に示す本考案の汎用電力入力のロープ電球制御器１００の実施例２である。そのうち、該表示制御回路２０の切り換え制御端ＣＳに、無線リモコン受信装置２２と連結し、該無線リモコン受信装置２２は無線リモコン装置２３と組み合わせて、無線リモコン装置２３からリモコン信号を発信することにより、該無線リモコン受信装置２２より、切り換え制御信号を切り換え制御端ＣＳに送信し、該ロープ電球４０に備える４つの発光素子回路Ｌ１、Ｌ２、Ｌ３及びＬ４の点滅表示、間欠的点滅表示、光度加減表示、巡回表示、回路を交互に点滅など様々な表示機能を制御する。該駆動回路３０のサイリスター素子Ｇ１’、Ｇ２’、Ｇ３’及びＧ４’はトランジスタ素子を用いる。発光素子回路Ｌ１、Ｌ２、Ｌ３及びＬ４のような低電流駆動の場面に使用できる。
【図面の簡単な説明】
【００２５】
【図１】本考案実施例１電気ブロック図である。
【図２】図１の詳細電気回路図である。
【図３】本考案実施例２電気ブロック図である。
【図４】図３の詳細電気回路図である。
【符号の説明】
【００２６】
１００  汎用電力入力のロープ電球制御器
１０  電源回路
１１  抵抗降圧回路
１１１  低圧交流電源
１２  整流安定回路
１２１  ブリッジ式整流素子
１２２  ツェナーダイオード
２０  表示制御回路
２１  制御スイッチ
４０  ロープ電球
Ｃ１  コンデンサー
Ｂ１、Ｂ２  入力端
Ｂ３、Ｂ４  出力端
ＶＣＣ  電源端
Ｔ１、Ｔ２、Ｔ３、Ｔ４  出力制御端
ＣＳ  切り換え制御端
２３  無線リモコン装置
Ｇ１、Ｇ２、Ｇ３、Ｇ４、Ｇ１’、Ｇ２’、Ｇ３’、Ｇ４’  サイリスター素子
Ｑ１１  ベース
Ｃ２  コンデンサー
Ｌ１、Ｌ２、Ｌ３、Ｌ４  発光素子回路
３０  駆動回路
Ｒ１  抵抗器
Ｂ  ブリッジ式整流素子
ＶＤＤ  電源端
２２  無線リモコン受信装置
Ｑ１  トランジスタ
Ｑ１２  エミッタ
【図１】
0003130911.tif 000003
【図２】
0003130911.tif 000004
【図３】
0003130911.tif 000005
【図４】
0003130911.tif 000006